(57)【特許請求の範囲】
【請求項１】
上下両端を開口した透明で薄い箱形チューブ状のケース本体１を形成して、同ケース本体１の下端開口を同所に嵌着する底板２で閉塞し、また、ケース本体１における両側の側面板３の上端を切欠して側面Ｕ字状となし、その切欠部４を通過可能に且つケース本体１の前面板５と後面板６との間に挟まれる状態に蓋板７を配して、同蓋板７の前面又は後面に溝８を設けるとともに、その溝８に嵌入して蓋板７をスライド自在に案内するレール９をケース本体１の前面板５又は後面板６の内面に突設したことを特徴とするシャープペンシルの替芯ケース。
【発明の詳細な説明】
【０００１】
【産業上の利用分野】
本発明は、シャープペンシルの替芯ケースに関する。
【０００２】
【従来の技術】
シャープペンシルの替芯ケースにおける蓋の開閉方式には主にスライド式と回転式があるが、芯の取り出し口の広さを調整しやすいという点からスライド式の蓋の方が多く採用されている。そして、従来のスライド式の蓋には、例えば、図８に示すように、蓋板２５を支持板２６の上端部にスライド自在に組み付けて、支持板２６をケース本体２７の側端部に固定するものとか、又は、図９に示すように、ケース本体２８の上に蓋板２９を載せ、蓋板２９に一体的に設けた脚板３０をケース本体２８の内部に挿入し、同脚板３０に設けた溝３１にケース本体２８の内面に設けたリブ３２を嵌合させるものとかが存在する。しかしながら、前者は、支持板２６という部品が増える上に、蓋板２５と支持板２６の組み付けに加えて、支持板２６とケース本体２７も組み付けねばならないという面倒があって、コスト高となる問題があり、また、後者も、蓋板２９に脚板３０を一体的に設けるので構造が複雑になって成形が面倒になり、又、脚板３０の溝３１にリブ３２を嵌合させるには、ケース本体２８を分割して形成して合体させなければならず、組み立てが煩瑣で、同じくコスト高となる問題があった。
また、従来の替芯ケースは、芯の取り出し口が狭いので、替芯の詰め込みに時間がかかるという問題もあった。
【０００３】
【発明が解決しようとする課題】
そこで本発明は、スライド式の蓋板、及びケース本体の形状及び構造がシンプルで成形が容易であり、又、蓋板を直にケース本体に組み付けることができて他の部品が不要であり、しかも、ケース本体に対する蓋板の組み付けも容易で、成形及び組み立てコストの低減が期待でき、さらに、ケース本体に対して替芯を能率良く詰め込むこともできるという極めて斬新なシャープペンシルの替芯ケースの提供を目的とする。
【０００４】
【課題を解決するための手段】
上記目的を達成するために、本発明のシャープペンシルの替芯ケースは、上下両端を開口した透明で薄い箱形チューブ状のケース本体１を形成して、同ケース本体１の下端開口を同所に嵌着する底板２で閉塞し、また、ケース本体１における両側の側面板３の上端を切欠して側面Ｕ字状となし、その切欠部４を通過可能に且つケース本体１の前面板５と後面板６との間に挟まれる状態に蓋板７を配して、同蓋板７の前面又は後面に溝８を設けるとともに、その溝８に嵌入して蓋板７をスライド自在に案内するレール９をケース本体１の前面板５又は後面板６の内面に突設したことを特徴とする構成を採るものである。
【０００５】
【作用】
蓋板７は溝８を設けるだけで足り形状及び構造がシンプルとなる。また、ケース本体１もチューブ状で切欠部４とレール９を設けるだけで足り形状及び構造がシンプルとなる。蓋板７をケース本体１に組み付けるには、ケース本体１の上端部の前面板５と後面板６の間に蓋板７を押し込めばよい。切欠部４が存在することにより前面板５と後面板６が容易に弾性変形して溝８にレール９が容易に嵌入する。したがって、蓋板７とケース本体１の組み付けが簡単である。次に、替芯をケース本体１に詰め込むには、先ずケース本体１に蓋板７のみを組み付けて、ケース本体１の下端部に底板２を嵌着しないで下端開口から替芯を挿入する。そして、替芯の詰め込み作業が終了してから底板２を嵌着してケース本体１の下端開口を塞ぐ。ケース本体１の下端開口は、蓋板７の存在によって開口面積を制限されるケース本体１の上端開口よりも広くすることができるので、替芯の詰め込み作業の能率をアップすることができる。
【０００６】
【実施例】
以下、図面に基づき本発明の実施例について説明する。先ず、図１〜図５は第１実施例を示したものである。ケース本体１は透明なプラスチック製で、上下両端を開口した薄い箱形のチューブ状を呈し、図１に示すように、両側の側面板３における上端に切欠部４を設けて側面Ｕ字状となし、前面板５の上端内面部に横方向のレール９を一体的に突設し、又、後面板６の上端内面部に小突起１０を設けている。蓋板７は不透明なプラスチック製で、その前面に横方向に長い溝８を設け、又、後面には係止リブ１１を設け（図４及び図５参照）、さらに、上面には滑り止め用のギザギザ１２を設けている。この蓋板７は、ケース本体１の切欠部４を通過できる厚さを有して、ケース本体１の前面板５と後面板６の間に挟まれる状態に配され、その溝８にレール９を嵌入させる。蓋板７をケース本体１に対し組み付けるには、蓋板７を前面板５と後面板６の間に圧入すればよい。前面板５と後面板６は切欠部４によって容易に弾性変形して開くので、レール９が容易に溝８に嵌入する。蓋板７はレール９によって横方向にスライドし、ケース本体１の上端開口、すなわち芯の取り出し口１３（図５参照）を開閉する。蓋板７が芯の取り出し口１３を完全に塞いだ状態では、図４に示すように、レール９の一端がストッパ１４となって溝８の一方の側壁に衝合して蓋板７の移動を阻止する。また、このとき蓋板７の後面に設けた係止リブ１１がケース本体１の後面板６の内面に設けた小突起１０を乗り越えて係止し蓋板７を固定する。蓋板７を逆方向へスライドさせて芯の取り出し口１３を所要量開口すると、図５に示すように、レール９の他端が同様にストッパ１５となって溝８の他方の側壁に衝合して蓋板７の移動を阻止する。ケース本体１の下端開口は、図２及び図３に示すように、同所に底板２を圧入により嵌着して閉塞される。
【０００７】
次に、図６は第２実施例を示したものである。この第２実施例は、蓋板１６を傾斜させ、それに従い蓋板１６に設ける溝１７と、ケース本体１８に設けるレール１９も傾斜させたものである。また、底板２０はケース本体１８の下端部の外側に嵌着させている。それ以外の構造は上記第１実施例と同じである。
【０００８】
また、図７は第３実施例を示したものである。この第３実施例は、蓋板２１を円弧状に曲げ、それに従い蓋板２１に設ける溝２２と、ケース本体２３に設けるレール２４も円弧状に曲げたものである。それ以外の構造は上記第１実施例と同じである。
【０００９】
【発明の効果】
本発明は上記の通りであり、蓋板及びケース本体の形状及び構造をシンプルにして成形を容易にし、又、ケース本体１に対する蓋板の組み付けも容易にすることができるので、成形及び組み立てのコストを低減できるという効果があり、ケース本体に対して替芯を下端開口から能率良く詰め込むことができるという効果もある。
また、ケース本体における両側の側面板の上端を切欠して側面Ｕ字状となし、その切欠部を通過可能に且つケース本体の前面板と後面板の間に挟まれる状態に蓋板を配したので、斬新なデザインとなって見映えも良いという利点がある。
【図面の簡単な説明】
【図１】蓋板をケース本体の上端部に組み付ける前の状態を示す斜視図である。
【図２】前後方向の中心部における縦断面図である。
【図３】図２のＡ−Ａ線における縦断面図である。
【図４】図２のＢ−Ｂ線における横断面図である。
【図５】芯の取り出し口を開口した状態を示す図４の断面図と同一位置の横断面図である。
【図６】第２実施例の一部を省略した縦断面図である。
【図７】第３実施例の上半部の縦断面図である。
【図８】従来例の上半部の縦断面図である。
【図９】他の従来例の上半部の縦断面図である。
【符号の説明】
１  ケース本体
２  底板
３  側面板
４  切欠部
５  前面板
６  後面板
７  蓋板
８  溝
９  レール
１０  小突起
１１  係止リブ
１２  ギザギザ
１３  芯の取り出し口
１４  ストッパ
１５  ストッパ
１６  蓋板
１７  溝
１８  ケース本体
１９  レール
２０  底板
２１  蓋板
２２  溝
２３  ケース本体
２４  レール
２５  蓋板
２６  支持板
２７  ケース本体
２８  ケース本体
２９  蓋板
３０  脚板
３１  溝
３２  リブ
【図１】
0003653313.tif 000002
【図２】
0003653313.tif 000003
【図３】
0003653313.tif 000004
【図４】
0003653313.tif 000005
【図５】
0003653313.tif 000006
【図６】
0003653313.tif 000007
【図７】
0003653313.tif 000008
【図８】
0003653313.tif 000009
【図９】
0003653313.tif 000010